(57)【特許請求の範囲】
【請求項１】
水溶性多層フィルムを水面に浮かべて流しつつ膨潤させるフィルム膨潤領域とその下流側の領域であって水溶性多層フィルムを被転写物に転写させるフィルム転写領域とよりなる水槽と、
前記水槽の両側壁に第１のベルトコンベア、前記水槽の底面に第２のベルトコンベアを設け、前記第１のベルトコンベアの表面は前記水槽の壁に沿って平行に位置し、前記第２のベルトコンベアの表面は前記水槽の底面に沿って平行に位置し、第１と第２のモータにより動作させることで水流と同速度で動く水圧転写装置。
【請求項２】
フィルム膨潤領域の水深よりも深くしたフィルム転写領域の下流側に、
フィルム膨潤領域の水槽の幅と深さを含む流入口と、内部を複数の部屋に仕切る仕切板と、前記各部屋に水槽の深さに応じて面積が異なる排水口とよりなる排水制御箱を設けた請求項１に記載の水圧転写装置。
【発明の詳細な説明】
【０００１】
【発明の属する技術分野】
本発明は、水溶性多層フィルムを水槽内の水面に浮かべて流しつつ膨潤させ、テレビ受像機等の家庭用電気機器等の外装筐体にオーバーレイする水圧転写装置に関するものである。
【０００２】
【従来の技術】
従来、水溶性多層フィルムを水槽にはった水の水面に浮かべて膨潤させ、その水溶性多層フィルムに活性剤を塗布した後、被転写物の被転写面を水溶性多層フィルムに上方から押し付けることにより、水溶性多層フィルムを被転写物にオーバーレイする水圧転写装置は、一般に、水溶性多層フィルムを水面に浮かべた後、その水溶性多層フィルム上に活性剤を均一に塗布して反応性を高めることにより、水溶性多層フィルムはシート状から粒子状に変り、その粒子状になった水溶性多層フィルムが上方から押し付けられた被転写物の被転写面に被着するものであるが、全ての粒子が被転写物の被転写面に被着するものではなく、一部は残渣として水中に残るため、その水中の活性剤等の残渣を除く必要があり、水溶性多層フィルムを浮かべる水を流し、循環させることで、水の清浄化を図っている。しかし、その時、水槽内を流れる水流は水流に平行な側壁および底面等の抵抗を受けて、水流の側壁および底面に近い部分は中央部分より流れが悪くなり、水流が不均一な分布となり、水流の表面に浮かべた水溶性多層フィルムは一様に下流側に流れず、部分によって流れが異なるため、表面に皺が生じるという問題があった。
【０００３】
その問題を解決する方法として、上記のように、水流が不均一な分布となる水流のみによって水溶性多層フィルムを移動させるのではなく、水槽の両側面に設置したチェーンコンベア間に棒材を橋渡しにして、その棒材に水溶性多層フィルムの前後を接触させ、その他の大部分を水流の表面に浮かべつつ、チェーンコンベアを水流方向に動作させ、棒材の動きの助けを得ることにより、水溶性多層フィルムの全面にわたって均一に水流に沿って移動させようとする方法と、水槽の両側面に設置したチェーンコンベアにチャック機構を設け、水溶性多層フィルムの左右をクランプし、その他の大部分を水流の表面に浮かべつつ、チェーンコンベアを水流方向に動作させ、チャック機構の動きの助けを得ることにより、水溶性多層フィルムの全面にわたって均一に水流に沿って移動させようとする方法とが考えられていた。
【０００４】
しかしながら、上記の方法は棒材やチャック機構の助けを借りて水溶性多層フィルムを移動させる方法であるため、水溶性多層フィルムは棒材やチャック機構に固定されており、水溶性多層フィルムはその膨潤に伴う寸法拡大に対応できず、また、水流の表面の速度に変化が生じた場合、棒材やチャック機構の移動速度との間に差が生じることがあり、水流の表面に浮かべた水溶性多層フィルムに依然として皺や破れが発生するという問題が残るものであった。
【０００５】
【発明が解決しようとする課題】
一般に、家庭用電気機器等の外装筐体に水溶性多層フィルムをオーバーレイする水圧転写において、外装筐体の高品位な意匠外観を確保するためには、水溶性多層フィルムに描かれた模様を目的の位置にオーバーレイできることや、水溶性多層フィルムに皺や破れがないことが要求される。
【０００６】
しかるに、前記のように、従来の水圧転写装置によると、水槽にはった水の表面に浮かべて流す水溶性多層フィルムに皺や破れが発生するという問題があり、水溶性多層フィルムをオーバーレイする外装筐体に高品位な意匠外観を確保することができないものであった。
【０００７】
本発明は上記の課題を解決するもので、水溶性多層フィルムを水槽にはった水の表面に浮かべて流す場合、水溶性多層フィルムに皺や破れが発生しない水圧転写装置を提供するものである。
【０００８】
【課題を解決するための手段】
上記の課題を解決するために、本発明は、水溶性多層フィルムを水面に浮かべて流しつつ膨潤させるフィルム膨潤領域とその下流側の領域であって水溶性多層フィルムを被転写物に転写させるフィルム転写領域とよりなる水槽と、前記水槽の両側壁に第１のベルトコンベア、前記水槽の底面に第２のベルトコンベアを設け、前記第１のベルトコンベアの表面は前記水槽の壁に沿って平行に位置し、前記第２のベルトコンベアの表面は前記水槽の底面に沿って平行に位置し、第１と第２のモータにより動作させることで水流と同速度で動く水圧転写装置であり、水溶性多層フィルムは何物にも固定せず水面に浮かべて下流方向に流すものであり、しかも、水溶性多層フィルムを浮かべた水流の表面の速度はフィルム膨潤領域やフィルム転写領域において一定に保持でき、水溶性多層フィルムに皺や破れが発生することがなくなるものである。
【０００９】
【発明の実施の形態】
本発明の請求項１に記載の発明は、水溶性多層フィルムを水面に浮かべて流しつつ膨潤させるフィルム膨潤領域とその下流側の領域であって水溶性多層フィルムを被転写物に転写させるフィルム転写領域とよりなる水槽と、前記水槽の両側壁に第１のベルトコンベア、前記水槽の底面に第２のベルトコンベアを設け、前記第１のベルトコンベアの表面は前記水槽の壁に沿って平行に位置し、前記第２のベルトコンベアの表面は前記水槽の底面に沿って平行に位置し、第１と第２のモータにより動作させることで水流と同速度で動く水圧転写装置であり、水槽の水流に平行な両側壁および底面に水流と同速度で動くベルトコンベアを設けることにより、水槽の水流の両側壁および底面に近い部分と中央部分の水流が均一になるという作用を有する。
【００１０】
本発明の請求項２に記載の発明は、フィルム膨潤領域の水深よりも深くしたフィルム転写領域の下流側に、フィルム膨潤領域の水槽の幅と深さを含む流入口と、内部を複数の部屋に仕切る仕切板と、前記各部屋に水槽の深さに応じて面積が異なる排水口とよりなる排水制御箱を設けた請求項１に記載の水圧転写装置であり、排水制御箱を設けることにより、水の位置エネルギーに応じて水流速度が変るために生じる排水速度の増加を打ち消し、排水制御箱の各部屋の排水量をほぼ一定とし、フィルム転写領域の下層に生じる複雑な水流の影響が水流の表面に現われないようにするという作用を有する。
【００１２】
以下、本発明の実施の形態について図面を参照しながら説明する。
【００１３】
（実施の形態１）
図１は本発明の実施の形態１における水圧転写装置の一部側断面図、図２は図１のＡ−Ａ線における一部側断面図、図３は図１のＢ−Ｂ線における一部側断面図であり、１は長さ２０００ｍｍのフィルム膨潤領域２と長さ８００ｍｍの活性剤塗布とフィルム転写の領域３よりなる直方体の水槽、４は前記水槽１中に貯蔵された水の中において、フィルム膨潤領域２と活性剤塗布とフィルム転写の領域３の全領域にわたって水槽１の両側壁に沿って垂直に間隔１０００ｍｍでそれぞれ設けられ、水流の流れる方向に水流と同速度で移動するベルトコンベア、５は前記ベルトコンベア４を駆動するため、水槽１の両側壁に沿って間隔１０００ｍｍで垂直にそれぞれ設けられ、モータ６に取り付けられた垂直駆動軸、７は前記水槽１中に貯蔵された水の中において、フィルム膨潤領域２の水面から２００ｍｍの深さの位置に、水槽１の底面にある土台８に沿って水平に設けられ、水流の流れる方向に水流と同速度で移動するベルトコンベア、９は前記ベルトコンベア７を駆動するため、モータ１０に取り付けられた垂直軸１１と歯車機構で連結し、水平回転に変換された水平駆動軸、１２は前記水槽１中に貯蔵された水の中において、前記ベルトコンベア４の位置に対応する水流の下流に、前記ベルトコンベア４の幅１０００ｍｍ以上の幅１１００ｍｍと、水面から前記ベルトコンベア７の水深２００ｍｍの高さ２００ｍｍを有する流入口と、内部を４部屋１３、１４、１５、１６に等分割する水流に平行な３枚の仕切板１７と、前記各部屋１３、１４、１５、１６内の下流側に設け、その水深が深くなるほど小さな面積の排水口１８、１９、２０、２１とを有する排水制御箱、２２は水槽１の最下流の排水口２３から最上流の給水口２４へ循環ポンプ２５を介して接続されたパイプ、２６は水槽１の上流側のフィルム膨潤領域２から水面上に浮かべられ、水流に沿って下流側の活性剤塗布とフィルム転写の領域３に流される水溶性多層フィルムであり、水槽１内の水流は、水槽１の両側壁に水流の流れる方向に水流と同速度で移動するベルトコンベア４およびフィルム膨潤領域２の底面に水流と同速度で移動するベルトコンベア７により、水槽１の側壁および底面に近い部分の水流が側壁および底面から受ける抵抗が緩和され、水流の断面の全範囲にわたって均一な流れを得ることができ、水流の表面に浮かべた水溶性多層フィルム２６は一様に下流側に流れることになり、表面に皺が生じるということがなくなる。
【００１４】
なお、活性剤塗布とフィルム転写の領域３は、上流側のフィルム膨潤領域２にある土台８がなく、水深が深くなっていて、被転写物を水中に挿入して水溶性多層フィルム２６を転写する場合、作業が容易にできるように、深くなっているが、上流側から水平に流れてきた水流は、水深が急に深くなっている活性剤塗布とフィルム転写の領域３で下方に流れ落ちることになり、そこに複雑な流れが発生し、その複雑な流れがその部分の水流の表面、従って、水流の表面に浮かべた水溶性多層フィルム２６の流れに複雑な影響を与え、水溶性多層フィルム２６の表面に皺が生じることになる。
【００１５】
上記問題を解決するのが排水制御箱１２であり、水面からの深さに応じて位置エネルギーが変るために生じる水流速度の変化を、ベルトコンベア４の位置に対応する水流の下流に設けた排水制御箱１２の各部屋１３、１４、１５、１６の面積の異なる排水口１８、１９、２０、２１で各部屋１３、１４、１５、１６の排水量をほぼ一定とすることにより打ち消し、ベルトコンベア４の位置に対応する水流を全ての深さにおいて同量の滑らかな水流とし、その下層において発生している複雑な水流の影響が水流の表面にまで達しないようにして、水流の表面に浮かべた水溶性多層フィルム２６を滑らかに下流側に流すようにしている。
【００１６】
（実施の形態２）
図４は本発明の実施の形態２における水圧転写装置の一部側断面図、図５は本発明の実施の形態２における水圧転写装置の上面図であり、実施の形態１の水圧転写装置と異なるところは、基本的には実施の形態１における水槽の両側壁に沿って設けたベルトコンベア４と、水流の下流に設けた排水制御箱１２をなくして、水槽の水面から特定の深さのところに水平に設けられ、水流の流れる方向に水流と同速度で移動するベルトコンベアだけを設けた点である。
【００１７】
すなわち、図４と図５において、２７は長さ２０００ｍｍのフィルム膨潤領域２８と長さ８００ｍｍの活性剤塗布とフィルム転写の領域２９よりなる全長４０００ｍｍ、幅１０００ｍｍ、深さ９０ｍｍの直方体の水槽、３０は前記水槽２７中に貯蔵された水の中において、フィルム膨潤領域２８に、水面から３０ｍｍの底面にある土台３１に沿って水平に設けられ、水流の流れる方向に水流と同速度で移動する幅１０００ｍｍのベルトコンベア、３２は前記ベルトコンベア３０を駆動するため、モータ３３に取り付けられた垂直軸３４と歯車機構で連結し、水平回転に変換された水平駆動軸、３５は水槽２７の下流の壁３６を乗り越えた水流を溜める水溜め３７に設けられた排水口３８から最上流の給水口３９へ循環ポンプ４０を介して接続されたパイプであり、循環ポンプ４０により３０リットル／分の水を循環させ、水槽２７内の水流を１ｍ／分で下流方向に流し、モータ３３の回転数の調整によりベルトコンベア３０を水流と同一速度の１ｍ／分で下流方向に移動させる。
【００１８】
上記のように、水流の流れる方向に水流と同速度で移動するベルトコンベア３０をフィルム膨潤領域２８の水面から３０ｍｍという浅い底面に水平に設けることにより、水流の表面に近い部分の水流を全ての深さにおいて滑らかな水流とし、その下層において複雑な水流が発生しても、その影響が水流の表面にまで達しないようにして、水流の表面に浮かべた水溶性多層フィルムを滑らかに下流側に流すようにしている。
【００１９】
また、水流は全範囲で等速の１ｍ／分で下流方向に移動し、かつ、水流の平均速度が１ｍ／分という低い値に設定することにより、水流が水槽２７の側壁から抵抗を受けにくくなり、結局、水槽２７の両側壁および底面から水流が受ける抵抗の影響が打ち消され、ベルトコンベア３０により１ｍ／分で流れる底面の水流により水流表面の全範囲にわたり一定の流速の滑らかな水流を得ることができる。
【００２０】
上記構成の水圧転写装置により、幅９００ｍｍの水溶性多層フィルムを水槽２７のフィルム膨潤領域２８に浮かべて流した結果、水溶性多層フィルムは１ｍ／分の速度で水槽２７の側壁に片寄ることなく流すことができた。
【００２１】
一方、ベルトコンベア３０をフィルム膨潤領域２８の水面から５０ｍｍ以上の深い底面に設けた場合は、水流表面の流れは水槽２７の側壁から５０ｍｍ以上中央寄りの範囲で流速の傾斜が見られた。
【００２２】
また、ベルトコンベア３０をフィルム膨潤領域２８の水面から２０ｍｍ以下の浅い底面に設けた場合は、水溶性多層フィルムの伸びが小さい状態であった。
【００２３】
なお、ベルトコンベア３０をフィルム膨潤領域２８の範囲に設けた例で説明したが、活性剤塗布とフィルム転写の領域２９を含む全範囲にわたって長いベルトコンベアを設ければ、全領域にわたって安定して水流表面の幅方向の速度差をなくすることができることは申すまでもない。
【００２４】
【発明の効果】
以上のように、本発明の水圧転写装置によれば、水槽の両側壁および底面に水流と同速度で動くベルトコンベアを設けることにより、水槽の水流の両側壁および底面に近い部分と中央部分の水流が均一になることから、水溶性多層フィルムを水槽にはった水の表面に浮かべて流す場合、水流の表面の速度はフィルム膨潤領域やフィルム転写領域において一定に保持でき、水溶性多層フィルムに皺や破れが発生することがなくなるという効果が得られる。
【図面の簡単な説明】
【図１】本発明の実施の形態１における水圧転写装置の一部側断面図
【図２】図１のＡ−Ａ線における一部側断面図
【図３】図１のＢ−Ｂ線における一部側断面図
【図４】本発明の実施の形態２における水圧転写装置の一部側断面図
【図５】本発明の実施の形態２における水圧転写装置の上面図
【符号の説明】
１，２７  水槽
２，２８  フィルム膨潤領域
３，２９  活性剤塗布とフィルム転写の領域
４，７，３０  ベルトコンベア
５  垂直駆動軸
６，１０，３３  モータ
８，３１  土台
９，３２  水平駆動軸
１１，３４  垂直軸
１２  排水制御箱
１３，１４，１５，１６  部屋
１７  仕切板
１８，１９，２０，２１，２３，３８  排水口
２２，３５  パイプ
２４，３９  給水口
２５，４０  循環ポンプ
２６  水溶性多層フィルム
３６  壁
３７  水溜め
【図１】
0004051966.tif 000002
【図２】
0004051966.tif 000003
【図３】
0004051966.tif 000004
【図４】
0004051966.tif 000005
【図５】
0004051966.tif 000006